【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
ビデオビットストリームを取得するステップであって、前記ビデオビットストリームが第1の色特性を有する複数のピクチャを含み、前記複数のピクチャのクロマフォーマットがサブサンプリングフォーマットを含む、ステップと、
前記ビデオビットストリームから、色再マッピング情報(CRI)補足エンハンスメント情報(SEI)メッセージを特定するステップであって、前記CRI SEIメッセージの少なくとも1つのシンタックス要素の1つまたは複数の値が条件に基づいて制約される、ステップと、
前記CRI SEIメッセージの色再マッピングモデルを使用して、前記複数のピクチャの1つまたは複数のサンプルを、前記1つまたは複数のサンプルをアップサンプリングすることなしに前記第1の色特性から第2の色特性に再マッピングするステップと
を備える方法。
【請求項２】
前記複数のピクチャの前記クロマフォーマットを決定するステップをさらに備え、前記条件が前記複数のピクチャの前記クロマフォーマットであり、前記CRI SEIメッセージの前記少なくとも1つのシンタックス要素の前記1つまたは複数の値が、前記複数のピクチャの前記クロマフォーマットに基づいて制約される、
請求項1に記載の方法。
【請求項３】
前記CRI SEIメッセージの前記色再マッピングモデルの目的を特定する色再マップ値を決定するステップをさらに備え、前記条件が前記色再マップ値であり、前記CRI SEIメッセージの前記少なくとも1つのシンタックス要素の前記1つまたは複数の値が、前記色再マップ値に基づいて制約される、
請求項1に記載の方法。
【請求項４】
前記複数のピクチャの前記クロマフォーマットを決定するステップと、
前記CRI SEIメッセージの前記色再マッピングモデルの目的を特定する色再マップ値を決定するステップとをさらに備え、
前記条件が前記複数のピクチャの前記クロマフォーマットおよび前記色再マップ値であり、前記CRI SEIメッセージの前記少なくとも1つのシンタックス要素の前記1つまたは複数の値が、前記複数のピクチャの前記クロマフォーマットに基づいて、かつ前記色再マップ値に基づいて制約される、
請求項1に記載の方法。
【請求項５】
前記CRI SEIメッセージの前記色再マッピングモデルが、ルックアップ前テーブル、色再マップ行列、およびルックアップ後テーブルを含む、
請求項1に記載の方法。
【請求項６】
前記CRI SEIメッセージの前記少なくとも1つのシンタックス要素が、前記色再マップ行列が存在するかどうかを示す色再マップ行列存在フラグを含み、前記方法が、
前記条件に基づいて、前記色再マップ行列が存在しないことを示す値に等しいように前記色再マップ行列存在フラグが制約されると決定するステップと、
前記色再マップ行列存在フラグが前記値に等しいように制約されるとき、前記色再マップ行列を適用することなく、前記色再マッピングモデルを前記1つまたは複数のサンプルに適用するステップとさらに備える、
請求項5に記載の方法。
【請求項７】
前記条件が前記複数のピクチャの前記クロマフォーマットであり、前記色再マップ行列存在フラグは、前記クロマフォーマットが4:2:2のクロマフォーマット、4:2:0のクロマフォーマット、または4:0:0のクロマフォーマットであると決定されるとき、前記値に等しいように制約されると決定される、
請求項6に記載の方法。
【請求項８】
前記色再マップ行列存在フラグが前記値に等しいように制約されるとき、前記色再マップ行列を単位行列に等しいものとして推測するステップをさらに備え、
前記色再マッピングモデルを前記1つまたは複数のサンプルに適用するステップが、前記単位行列を適用するステップを含む、
請求項6に記載の方法。
【請求項９】
前記CRI SEIメッセージの前記少なくとも1つのシンタックス要素が、前記ルックアップ後テーブルの入力値および出力値を示すルックアップ後テーブル数シンタックス要素を含み、前記方法が、
前記条件に基づいて、前記ルックアップ後テーブル数シンタックス要素が、前記入力値および出力値が0に等しいことを示す値に等しいように制約されると決定するステップと、
前記ルックアップ後テーブル数シンタックス要素が前記値に等しいように制約されるとき、前記ルックアップ後テーブルを適用することなく、前記色再マッピングモデルを前記1つまたは複数のサンプルに適用するステップとをさらに備える、
請求項5に記載の方法。
【請求項１０】
前記ルックアップ後テーブル数シンタックス要素が前記値に等しいように制約されるとき、前記ルックアップ後テーブルを恒等写像であるものとして推測するステップをさらに備え、
前記色再マッピングモデルを前記1つまたは複数のサンプルに適用するステップが、前記恒等写像を実行するステップを含む、
請求項9に記載の方法。
【請求項１１】
前記CRI SEIメッセージの前記少なくとも1つのシンタックス要素が、前記ルックアップ前テーブルの入力値および出力値を示すルックアップ前テーブル数シンタックス要素を含み、
前記条件に基づいて、前記ルックアップ前テーブル数シンタックス要素が、前記入力値および出力値が0に等しいことを示す値に等しいように制約されると決定するステップと、
前記ルックアップ前テーブル数シンタックス要素が前記値に等しいように制約されるとき、前記ルックアップ前テーブルを適用することなく、前記色再マッピングモデルを前記1つまたは複数のサンプルに適用するステップとをさらに備える、
請求項5に記載の方法。
【請求項１２】
前記ルックアップ前テーブル数シンタックス要素が前記値に等しいように制約されるとき、前記ルックアップ前テーブルを恒等写像であるものとして推測するステップをさらに備え、
前記色再マッピングモデルを前記1つまたは複数のサンプルに適用するステップが、前記恒等写像を実行するステップを含む、
請求項11に記載の方法。
【請求項１３】
装置であって、
ビデオデータを記憶するように構成されたメモリと、
プロセッサとを備え、前記プロセッサが、
ビデオビットストリームを取得することであって、前記ビデオビットストリームが第1の色特性を有する複数のピクチャを含み、前記複数のピクチャのクロマフォーマットがサブサンプリングフォーマットを含む、取得することと、
前記ビデオビットストリームから、色再マッピング情報(CRI)補足エンハンスメント情報(SEI)メッセージを特定することであって、前記CRI SEIメッセージの少なくとも1つのシンタックス要素の1つまたは複数の値が条件に基づいて制約される、特定することと、
前記CRI SEIメッセージの色再マッピングモデルを使用して、前記複数のピクチャの1つまたは複数のサンプルを、前記1つまたは複数のサンプルをアップサンプリングすることなしに前記第1の色特性から第2の色特性に再マッピングすることとを行うように構成される、
装置。
【請求項１４】
前記プロセッサが、
前記複数のピクチャの前記クロマフォーマットを決定するように構成され、前記条件が前記複数のピクチャの前記クロマフォーマットであり、前記CRI SEIメッセージの前記少なくとも1つのシンタックス要素の前記1つまたは複数の値が、前記複数のピクチャの前記クロマフォーマットに基づいて制約される、
請求項13に記載の装置。
【請求項１５】
前記プロセッサが、
前記CRI SEIメッセージの前記色再マッピングモデルの目的を特定する色再マップ値を決定するように構成され、前記条件が前記色再マップ値であり、前記CRI SEIメッセージの前記少なくとも1つのシンタックス要素の前記1つまたは複数の値が、前記色再マップ値に基づいて制約される、
請求項13に記載の装置。
【請求項１６】
前記プロセッサが、
前記複数のピクチャの前記クロマフォーマットを決定し、
前記CRI SEIメッセージの前記色再マッピングモデルの目的を特定する色再マップ値を決定するように構成され、
前記条件が前記複数のピクチャの前記クロマフォーマットおよび前記色再マップ値であり、前記CRI SEIメッセージの前記少なくとも1つのシンタックス要素の前記1つまたは複数の値が、前記複数のピクチャの前記クロマフォーマットに基づいて、かつ前記色再マップ値に基づいて制約される、
請求項13に記載の装置。
【請求項１７】
前記CRI SEIメッセージの前記色再マッピングモデルが、ルックアップ前テーブル、色再マップ行列、およびルックアップ後テーブルを含む、請求項13に記載の装置。
【請求項１８】
前記CRI SEIメッセージの前記少なくとも1つのシンタックス要素が、前記色再マップ行列が存在するかどうかを示す色再マップ行列存在フラグを含み、前記プロセッサが、
前記条件に基づいて、前記色再マップ行列が存在しないことを示す値に等しいように前記色再マップ行列存在フラグが制約されると決定し、
前記色再マップ行列存在フラグが前記値に等しいように制約されるとき、前記色再マップ行列を適用することなく、前記色再マッピングモデルを前記1つまたは複数のサンプルに適用するように構成される、
請求項17に記載の装置。
【請求項１９】
前記条件が前記複数のピクチャの前記クロマフォーマットであり、前記色再マップ行列存在フラグは、前記クロマフォーマットが4:2:2のクロマフォーマット、4:2:0のクロマフォーマット、または4:0:0のクロマフォーマットであると決定されるとき、前記値に等しいように制約されると決定される、
請求項18に記載の装置。
【請求項２０】
前記プロセッサが、
前記色再マップ行列存在フラグが前記値に等しいように制約されるとき、前記色再マップ行列を単位行列に等しいものとして推測するように構成され、
前記色再マッピングモデルを前記1つまたは複数のサンプルに適用するステップが、前記単位行列を適用するステップを含む、
請求項18に記載の装置。
【請求項２１】
前記CRI SEIメッセージの前記少なくとも1つのシンタックス要素が、前記ルックアップ後テーブルの入力値および出力値を示すルックアップ後テーブル数シンタックス要素を含み、前記プロセッサが、
前記条件に基づいて、前記ルックアップ後テーブル数シンタックス要素が、前記入力値および出力値が0に等しいことを示す値に等しいように制約されると決定し、
前記ルックアップ後テーブル数シンタックス要素が前記値に等しいように制約されるとき、前記ルックアップ後テーブルを適用することなく、前記色再マッピングモデルを前記1つまたは複数のサンプルに適用するように構成される、
請求項17に記載の装置。
【請求項２２】
前記プロセッサが、
前記ルックアップ後テーブル数シンタックス要素が前記値に等しいように制約されるとき、前記ルックアップ後テーブルを恒等写像であるものとして推測するように構成され、
前記色再マッピングモデルを前記1つまたは複数のサンプルに適用するステップが、前記恒等写像を実行するステップを含む、
請求項21に記載の装置。
【請求項２３】
前記CRI SEIメッセージの前記少なくとも1つのシンタックス要素が、前記ルックアップ前テーブルの入力値および出力値を示すルックアップ前テーブル数シンタックス要素を含み、前記プロセッサが、
前記条件に基づいて、前記ルックアップ前テーブル数シンタックス要素が、前記入力値および出力値が0に等しいことを示す値に等しいように制約されると決定し、
前記ルックアップ前テーブル数シンタックス要素が前記値に等しいように制約されるとき、前記ルックアップ前テーブルを適用することなく、前記色再マッピングモデルを前記1つまたは複数のサンプルに適用するように構成される、
請求項17に記載の装置。
【請求項２４】
前記プロセッサが、
前記ルックアップ前テーブル数シンタックス要素が前記値に等しいように制約されるとき、前記ルックアップ前テーブルを恒等写像であるものとして推測するように構成され、
前記色再マッピングモデルを前記1つまたは複数のサンプルに適用するステップが、前記恒等写像を実行するステップを含む、
請求項23に記載の装置。
【請求項２５】
前記再マッピングされた1つまたは複数のサンプルを表示するためのディスプレイをさらに備える、請求項13に記載の装置。
【請求項２６】
前記装置が、カメラを有するモバイルデバイスを含む、請求項13に記載の装置。
【請求項２７】
プロセッサによって実行されたとき、方法を実行する命令を記憶したコンピュータ可読記憶媒体であって、前記方法が、
ビデオビットストリームを取得するステップであって、前記ビデオビットストリームが第1の色特性を有する複数のピクチャを含み、前記複数のピクチャのクロマフォーマットがサブサンプリングフォーマットを含む、ステップと、
前記ビデオビットストリームから、色再マッピング情報(CRI)補足エンハンスメント情報(SEI)メッセージを特定するステップであって、前記CRI SEIメッセージの少なくとも1つのシンタックス要素の1つまたは複数の値が条件に基づいて制約される、ステップと、
前記CRI SEIメッセージの色再マッピングモデルを使用して、前記複数のピクチャの1つまたは複数のサンプルを、前記1つまたは複数のサンプルをアップサンプリングすることなしに前記第1の色特性から第2の色特性に再マッピングするステップと
を含む、コンピュータ可読記憶媒体。
【請求項２８】
ビデオビットストリームを取得するための手段であって、前記ビデオビットストリームが第1の色特性を有する複数のピクチャを含み、前記複数のピクチャのクロマフォーマットがサブサンプリングフォーマットを含む、手段と、
前記ビデオビットストリームから、色再マッピング情報(CRI)補足エンハンスメント情報(SEI)メッセージを特定するための手段であって、前記CRI SEIメッセージの少なくとも1つのシンタックス要素の1つまたは複数の値が条件に基づいて制約される、手段と、
前記CRI SEIメッセージの色再マッピングモデルを使用して、前記複数のピクチャの1つまたは複数のサンプルを、前記1つまたは複数のサンプルをアップサンプリングすることなしに前記第1の色特性から第2の色特性に再マッピングするための手段と
を備える、装置。